(57)【特許請求の範囲】
【請求項１】
処理槽に堆積させた水分調整材に家畜などから出る固形物を含む汚水を散布し、水分調整材と汚水を攪拌手段で攪拌するとともに、処理槽の下部に溜まる汚水を回収して処理槽内に散布する汚水処理方法であって、上記処理槽を、汚水を散布しながら攪拌する散布領域と汚水を散布せずに攪拌し乾燥を伴った発酵を熟成する熟成領域とに分け、攪拌手段は水分調整材と汚水との混合物を移送可能な移送機能を備え、上記混合物を所定の速度で散布領域側から熟成領域側へ攪拌しながら移送して発酵させ堆肥を製造することを特徴とする汚水処理方法。
【請求項２】
請求項１記載の汚水処理方法において、攪拌手段は、１本または複数本のスクリューを備え、スクリューを回転させるとともに処理槽内を移動させて攪拌を行うことを特徴とする汚水処理方法。
【請求項３】
水分調整材を堆積させる処理槽と、家畜などから出る固形物を含む汚水を散布する散布装置と、水分調整材と汚水を攪拌する攪拌手段と、処理槽の下部に溜まる水分を回収する回収手段と、回収した汚水を再び上記散布装置に供給する供給手段を備え、処理槽を、汚水を散布しながら攪拌する散布領域と汚水を散布せずに攪拌し乾燥を伴った発酵を熟成する熟成領域とに分け、上記攪拌手段が、水分調整材と汚水との混合物を所定の速度で散布領域側から熟成領域側へ攪拌しながら移送可能な移送機能を備えてなる汚水処理装置。
【請求項４】
請求項３記載の汚水処理装置において、攪拌手段は、１本または複数本のスクリューを備え、処理槽の上方に移動可能に吊持されていることを特徴とする汚水処理装置。
【請求項５】
請求項３又は４記載の汚水処理装置において、回収手段は、処理槽の底面に設けられる複数の汚水路と、複数の汚水路内の汚水をまとめる回収槽とからなることを特徴とする汚水処理装置。
【発明の詳細な説明】
【０００１】
【発明の属する技術分野】
本発明は、家畜などが排泄した糞尿を処理する汚水処理方法及び汚水処理装置に係る技術分野に属する。
【０００２】
【従来の技術】
従来、汚水処理装置としては、例えば、特開２００１−１２１１７５号公報に記載のように、家庭などで使用される浄化槽がある。このような浄化槽においては、糞などの固形物を分離、濾過してこれらを除去する前処理槽と、生物濾過槽、処理水槽、消毒槽などから構成され、最終工程で浄化された水が浄化槽より排出されるものである。このうち、前処理槽には嫌気濾床槽第１室、嫌気濾床槽第２室を備えており、糞などの固形物の分離、除去を行っている。
【０００３】
また、他の汚水処理装置としては、特開平１０−２２４１３７号公報に記載のように、家畜の糞尿などを分解して肥料を製造処理する浄化槽がある。この浄化槽は、好気性バクテリアを含む水が浄化槽内に入れられ微小な気泡を発生させる散気管を備えた第１分解槽と、粗粒気泡が供給される第２分解槽と、熟成濃縮槽とを備え、糞尿は、順に各槽をオーバーフローしながら進んで最後に液肥となり、脱水された成分は細粒堆肥になるような装置である。
【０００４】
また、他の汚水処理装置としては、特開平６−９２７６５号公報に記載のものもある。これは、発酵槽に投入した堆肥材料を撹拌装置で攪拌しながら糞尿を攪拌中の堆肥材料に注入することで堆肥材料と糞尿の混合効率を高め、堆肥化することで糞尿を処理するものである。撹拌装置としては、チェーン、スプロケットをモータ駆動し、チェーンに取付けた羽根で堆肥材料を掻き上げ後方に落とす方式が示されている。
【０００５】
また、他の汚水処理装置としては、図６に示すように、分離機９１と、浄化槽９２と、脱水機９３と、堆肥製造器９４からなるシステムである。すなわち、汚水（原水）９０を遠心式などの分離機９１に投入して固形物９１ａと水分９１ｂに分離し、分離した汚水９１ｂは次の浄化槽９２（特開２００１−１２１１７５号公報のような）に投入される。浄化槽９２で分離された固形物９２ａは脱水機９３でさらに水分が除かれ、水分の少ない固形物９３ａが堆肥製造機９４（特開平６−９２７６５号公報に示すような）に投入されて堆肥となって処理される。ここで、分離機９１で分離された固形物９１ａは直接堆肥製造器９４に投入されて処理される。また、脱水機９３で除かれた水分９３ｂは浄化槽９２に戻される。そして、浄化槽９２で浄化された浄化水９２ｂは河川などに放流される構成となっている。
【０００６】
【発明が解決しようとする課題】
前述の特開２００１−１２１１７５号公報に記載のような汚水処理装置では、前処理槽において固形物を汚水と分離するために２つの嫌気濾床槽を必要とし、この分離工程が大がかりとなって費用がかかっている。また、前処理槽に溜まる汚泥の処理にも費用がかかり、さらに飼育する家畜の規模が大きくなるほど大規模若しくは多数の装置が必要となってしまい、このように大がかりな汚水処理装置では、費用的に採用しにくいという問題がある。
【０００７】
また、特開平１０−２２４１３７号公報に記載の汚水処理装置では、浄化水槽中のバクテリアによる分解で肥料化を行っている構成のため、その処理能力に限界がある。したがって、飼育する家畜の規模が大きくなると処理が追いつかず、より大型の、若しくは多数の装置を必要とし、このように大がかりな汚水処理装置では、費用的に採用しにくいという問題がある。
【０００８】
また、特開平６−９２７６５号公報に記載の汚水処理装置では、注入する糞尿の量、特に水分が多い場合は、撹拌装置のチェーンなどの比較的小さな部品の汚水による腐食が顕著であり、耐久性が無くなる。したがって、大量の糞尿、特に水分を多く含む糞尿を処理することができないという問題がある。
【０００９】
また、図６に示した汚水処理装置では、分離機９１と、浄化槽９２と、脱水機９３と、堆肥製造器９４という４種類の機械を必要とし、大量の汚水を処理するとなると汚水処理プラントのようになってしまい、このように大がかりな汚水処理装置では、費用的に採用しにくいという問題がある。
【００１０】
本発明は、このような問題点を考慮してなされたもので、簡素な方法で大量の糞尿を処理することができ、且つ、この処理により堆肥を製造可能な汚水処理方法を提供することを課題とする。
【００１１】
また、簡素な装置で大量の糞尿を処理することができ、且つ、この処理により堆肥を製造可能な汚水処理装置を提供することを課題とする。
【００１２】
【課題を解決するための手段】
前述の課題を解決するため、本発明に係る汚水処理方法は、次のような手段を採用する。
【００１３】
即ち、請求項１では、処理槽に堆積させた水分調整材に家畜などから出る固形物を含む汚水を散布し、水分調整材と汚水を攪拌手段で攪拌するとともに、処理槽の下部に溜まる汚水を回収して処理槽内に散布する汚水処理方法であって、上記処理槽を、汚水を散布しながら攪拌する散布領域と汚水を散布せずに攪拌し乾燥を伴った発酵を熟成する熟成領域とに分け、攪拌手段は水分調整材と汚水との混合物を移送可能な移送機能を備え、上記混合物を所定の速度で散布領域側から熟成領域側へ攪拌しながら移送して発酵させ堆肥を製造することを特徴とする。
【００１４】
この手段では、固形物を含む汚水は処理槽内で水分調整材に散布され攪拌されて処理されるとともに、水分調整材に混ざらなかった汚水は回収され再び水分調整材に散布されて処理される。これにより、固形物と水分を分離することなく汚水は処理槽内部で全て処理される。
また、汚水は水分調整材と混合されて移送され、堆肥化されるとともに、新しい水分調整材が投入され汚水を散布可能にする。
さらに、散布領域で十分に汚水を散布された混合物は熟成領域に移送され、熟成が進む。
【００１５】
また、請求項２では、請求項１記載の汚水処理方法において、攪拌手段は、１本または複数本のスクリューを備え、スクリューを回転させるとともに処理槽内を移動させて攪拌を行うことを特徴とする。
【００１６】
この手段では、処理槽の上方に設けられたスクリューを回転させるとともに、スクリューを処理槽内で移動させて混合物の攪拌、移送が行われる。
【００１７】
さらに、前述の課題を解決するために、本発明に係る汚水処理装置は、次のような手段を採用する。
【００１８】
すなわち、請求項３では、水分調整材を堆積させる処理槽と、家畜などから出る固形物を含む汚水を散布する散布装置と、水分調整材と汚水を攪拌する攪拌手段と、処理槽の下部に溜まる水分を回収する回収手段と、回収した汚水を再び上記散布装置に供給する供給手段を備え、処理槽を、汚水を散布しながら攪拌する散布領域と汚水を散布せずに攪拌し乾燥を伴った発酵を熟成する熟成領域とに分け、上記攪拌手段が、水分調整材と汚水との混合物を所定の速度で散布領域側から熟成領域側へ攪拌しながら移送可能な移送機能を備えてなる。
【００１９】
この手段では、固形物を含む汚水は散布装置により水分調整材に散布され攪拌手段で攪拌されて処理されるとともに、水分調整材に混ざらなかった汚水は回収手段で回収され再び水分調整材に散布されて処理される。これにより、固形物と水分を分離する装置を用いることなく、汚水は処理槽内部で全て処理される。
また、汚水は散布領域で処理され、移送された混合物は熟成領域で熟成される。
【００２０】
また、請求項４では、請求項３記載の汚水処理装置において、攪拌手段は、１本または複数本のスクリューを備え、処理槽の上方に移動可能に吊持されていることを特徴とする。
【００２１】
この手段では、処理槽の上方に設けられたスクリューを回転させるとともに、スクリューを移動させて混合物の攪拌、移送が行われる。
【００２２】
また、請求項５では、請求項３又は４記載の汚水処理装置において、回収手段は、処理槽の底面に設けられる複数の汚水路と、複数の汚水路内の汚水をまとめる回収槽とからなることを特徴とする。
【００２３】
この手段では、処理槽の底面に溜まる汚水は汚水路に流れ込み、汚水路から回収槽に導かれて回収される。
【００２４】
【発明の実施の形態】
以下、本発明に係る汚水処理方法及びその装置の実施の形態を図面に基づいて説明する。
【００２５】
図１〜図４は、本発明に係る汚水処理方法及びその装置の実施の形態（１）を示している。
【００２６】
この実施の形態の汚水処理装置１００は、水分調整材１を堆積させた処理槽２と、家畜などから出る固形物Ｈ１を含む汚水Ｈ（糞尿）を散布する散布装置３と、水分調整材１と汚水Ｈを攪拌して混合させる攪拌手段４と、処理槽２の下部に溜まる汚水Ｈを回収する回収手段５と、回収した汚水Ｈを散布装置３に供給する供給手段６で主に構成されている。
【００２７】
処理槽２は、汚水Ｈを処理するとともに堆肥Ｃを製造するために設けられており、コンクリートなどで形成され高さが１ｍ〜２ｍ程度、長さが数ｍ〜数十ｍ若しくはそれ以上に延びる両側の側壁２１、２２と、底面２３とで構成され、長手方向の両端は水分調整材１の投入口２４、及び、製造される堆肥Ｃの取出口２５となっている。
【００２８】
処理槽２の側壁２１、２２の上面部２１ａ、２２ａには、攪拌手段４の移動を可能にするレール（図示しない）が設けられている。また、処理槽２の側壁２２に沿って汚水槽７が形成されている。この汚水槽７には、家畜などから排出される固形物Ｈ１を含む汚水Ｈ（糞尿）が外部から投入される。なお、通常、牛や豚などの家畜から出る汚水Ｈの構成は、８０〜９０％が尿からなる水分で、残りの１０〜２０％が糞からなる固形物Ｈ１となっている。
【００２９】
また、水分調整材１とは、バーク（木の皮）、籾殻、おがくずなどからなるもので、糞尿を吸着し、その混合物Ｍが発酵して堆肥Ｃとなる原料である。
【００３０】
なお、処理槽２は、図２に示すように、水分調整材１の投入される投入口２４側が汚水を散布する散布領域２６とされ、堆肥Ｃの取出口２５側が汚水を散布せずに堆肥Ｃを発酵させて熟成する熟成領域２７（ここに発酵槽が形成される）とされて、所定の比率（例えば半分）で分けられている。なお、散布領域２６と熟成領域２７の比率は、汚水Ｈの処理量の増減、製造される堆肥の種類などで適宜変更可能である。
【００３１】
散布装置３は、処理槽２の上部の攪拌手段４に取付けられ、固形物Ｈ１を含む汚水Ｈを所定量溜められるほぼ半円管状に形成した汚水溜め３１と、汚水溜め３１の上面に多数の流出口３２を備えたものである。汚水Ｈは、供給手段６から汚水溜め３１に供給され、所定量以上になると汚水溜め３１からオーバーフローして流出口３２から処理槽２に流れ落ちる構成となっている。
【００３２】
攪拌手段４は、処理槽２の上方に吊持された撹拌装置４１と、撹拌装置４１を処理槽２内で縦横（処理槽２の長手方向と幅方向）に自在に移動可能に吊持する移動装置４５とから主に構成され、固形物Ｈ１を含む汚水Ｈと水分調整材１とを攪拌し混合させるものである。攪拌により好気性細菌を活性化させることができるとともに、攪拌手段４は、水分調整材１と汚水Ｈとの混合物Ｍを移送可能な移送機能を備えている。
【００３３】
撹拌装置４１は、２本のスクリュー４２と、スクリュー４２を駆動するモータ４２１と、モータ４２１の速度を減速し駆動トルクを増大させる減速機４２２を備えている。
【００３４】
スクリュー４２は、平行な２本の回転軸４２ａに互いの螺旋状の羽根４２ｂが入り込むように取付けられたものであり、減速機４２２はモータ４２１の回転力を２つに分けて、２本のスクリュー４２の回転軸４２ａを互いに逆方向へ回転駆動するように構成されている。なお、２本のスクリュー４２は、側壁２１、２２に向かう方向に前後して並べられている。
【００３５】
また、スクリュー４２の回転軸４２ａは、図示しない油圧シリンダを用いた駆動装置により、支持ピン４３を中心にしてその回転軸線の角度が調整可能であり、２本のスクリュー４２の回転軸４２ａはその回転軸線を通る面の向きが少なくとも前進方向に９０度回転可能となっている。そして、図３に示すようにスクリュー４２を前方（図３では左方向）に傾けて回転させ、前方に移動させることで、前方の材料を羽根４２ｂで掻き上げ、掻き上げられた材料が破線の矢印Ｔ’で示すように後方に落ちる。すなわち、前方の材料を後方に落としながら前進するので、傾けたスクリュー４２は材料の移送機能を備えるものとなっている。
【００３６】
なお、スクリュー４２は二本に限定されるものではなく、一本でも三本以上でも機能を発揮することができる。なお、攪拌能力はスクリュー４２の本数に応じてアップするが、コストアップもあるので、実験などを重ねた結果、２本が最も効率的と分かっている。
【００３７】
移動装置４５は、撹拌装置４１を処理槽２の長手方向に移動させる長手方向移動装置４６と、処理槽２の側壁２１、２２の方向に移動させる幅方向移動装置４７とで構成される。
【００３８】
長手方向移動装置４６は、その車輪４６１が処理槽２の側壁２１、２２の上面部２１ａ、２２ａのレール（図示しない）に載せられたフレーム４６２と、車輪４６１を駆動するモータ４６３と、フレーム４６２上に取付けられた作業台４６４と、作業台４６４に乗った作業員が操作可能な制御盤４６５などから構成される。
【００３９】
幅方向移動装置４７は、長手方向移動装置４６のフレーム４６２に取付けられたアーチフレーム４７１に図示しない幅方向移動用のレールが設けられ、その上に設けられる車輪４７２を有するフレーム４７３と、フレーム移動装置４７４などから構成される。フレーム移動装置４７４は、フレーム４７３に掛けたワイヤーをモータで駆動する構成のものである。
【００４０】
回収手段５は、散布装置３により水分調整材１にかけられた汚水Ｈが水分調整材１に混ざらずに処理槽２の底面２３まで達した場合に、この汚水Ｈを回収する手段であり、底面２３に設けられる複数の長手方向汚水路５１と、長手方向汚水路５１を連結する複数の幅方向汚水路５２と、処理槽２の外部に延びる一つの長手方向汚水路５１ａと、この長手方向汚水路５１ａに流れる汚水Ｈを受けることで複数の汚水路５１、５２内の汚水Ｈをまとめる回収槽５３と、回収槽５３に集められた汚水Ｈを汚水槽７に汲み揚げるポンプ５４及び配管５５から構成されている。
【００４１】
供給手段６は、汚水槽７に延びる吸引管６１と、汚水槽７の上方で攪拌手段４の移動装置４５に取付けられる吸引ポンプ６２と、散布装置３に吸引した汚水Ｈを供給する供給管６３とで構成される。吸引ポンプ６２は、制御盤４６５に設けられるスイッチで、攪拌手段４の作動に連動させることも、また、攪拌手段４の作動と無関係に作動、非作動とすることも選択可能となっている。
【００４２】
なお、回収手段５の長手方向汚水路５１、及び、幅方向汚水路５２には、水分調整材１と汚水Ｈの混合物Ｍに発酵を促進させ良質な堆肥Ｃを製造可能とするように、空気吹出孔８１を有する送風パイプ８が入れられ、この送風パイプ８は側壁２１、２２に設けられるブロア（図示しない）などから空気Ａが送られる構成となっている。ここで、長手方向汚水路５１、及び、幅方向汚水路５２の幅は送風パイプ８の外径より大きくしており、その隙間に汚水Ｈが流れ込むようになっている。
【００４３】
また、処理槽２の上方には建屋の屋根が設けられ、雨水の浸入が防止されるとともに、建家の側壁は開放されて外気との通気性が確保されている。
【００４４】
以上の汚水処理装置１００による汚水処理方法について、以下に説明する。
【００４５】
初めに汚水槽７に家畜などから排出される固形物Ｈ１を含む汚水Ｈ（糞尿）が投入される。また、処理槽２の投入口２４から、バークなどの水分調整材１が投入される。
【００４６】
そして、攪拌手段４を散布領域２６に位置させ（図２参照）、散布領域２６において散布装置３を作動させて汚水Ｈを散布しながら攪拌手段４を作動させる。このとき、攪拌手段４の撹拌装置４１のスクリュー４２を回転させながら、矢印Ｓで示すように処理槽２の側壁２２の方向にスクリュー４２を移動させ、側壁２２に到達したら適度に前進させ（投入口２４側に例えば５０ｃｍ移動させ）、その位置から逆に側壁２１の方向に移動させる。そして、側壁２１に到達したら同様に適度に前進させるというように、ジグザグに攪拌を行っていく。
【００４７】
この攪拌作業において、スクリュー４２を前進方向に傾けておくことで、図２の矢印Ｔに示すように、掻き上げた水分調整材１と汚水Ｈとの混合物Ｍを少しずつ熟成領域２７側に移送することができる。
【００４８】
散布装置３により散布できる汚水Ｈの量は、処理槽２に投入されている水分調整材１の量によるが、仮に過剰に汚水Ｈを散布した場合でも、汚水Ｈは処理槽２の底面２３に達し、回収手段５の各溝５１、５２から回収槽５３を経てポンプ５４で汚水槽７に戻されるので、汚水Ｈの投入量をあまり気にする必要がない。
【００４９】
なお、従来例に示したチェーンタイプの攪拌手段では、水分調整材１に混ぜ合わされる汚水Ｈの水分率が高すぎるとチェーンなどの細かい構成部品に腐食などの不具合を容易に起こさせるため、汚水Ｈの投入量（水分率）に注意が必要だが、この実施の形態に用いているスクリュー４２は構成が簡素で、羽根４２ｂも強固なものとできるため、水分率を大きくしても耐久性を確保でき、攪拌作業に支障を来すことがない。
【００５０】
したがって、投入口２４から次々に水分調整材１を投入すれば大量の汚水Ｈを処理することが可能になる。また、固形物Ｈ１を含む汚水Ｈを散布できるので、従来の浄化槽や図６に示した分離機９１のように汚水Ｈから固形物Ｈ１を分離する装置が必要なく、このような分離装置のコストが削減できる。また、汚水Ｈから固形物Ｈ１を分離する装置には、フィルターが使用される場合が多く、このフィルターは容易に目詰まりを起こすのでメンテナンスに手間がかかる。しかし、本発明では水分調整材１がフィルターの役目をし、そのフィルターは攪拌手段４で汚水Ｈと混ぜ合わされて常時新しいフィルターを形成しているので、目詰まりのような不具合を生じない。
【００５１】
散布領域２６で所定時間の攪拌が行われた水分調整材１と汚水Ｈとの混合物Ｍは、矢印Ｔに示すように、熟成領域２７に移送され、熟成領域２７で攪拌手段４により汚水Ｈを散布せずに攪拌が行われる。また、混合物Ｍには、処理槽２の底面２３の溝５１、５２に設けられた送風パイプ８から空気が供給され、発酵が促進される。この発酵過程で、微生物が行う発酵処理に加え、混合物Ｍに含まれている水分も発酵で空気中に飛ばされ、発酵過程でも汚水処理が行われる。この熟成領域２７での攪拌は１日に１回程度でよく、材料の投入から２０日ないし３０日程度で良好な堆肥Ｃが製造される。
【００５２】
散布した汚水Ｈは堆肥Ｃとなって利用され、従来の浄化槽のように外部に排水を出さないので、河川や地下水など周囲の環境を汚染することがなく、また、攪拌手段４は従来のチェーンなどを用いた方式などに比べ、空気中への飛び跳ね量が少ないので、悪臭の発生を少なくでき、環境に優しい汚水処理装置となっている。
【００５３】
すなわち、汚水処理装置１００は複数の機能を備えるので、図６に示したシステムと比較してみると、分離機９１、浄化槽９２、脱水機９３、堆肥製造器９４の４種類の機械に代わることができる。これを費用的にみると、汚水処理装置１００は、図６に示したシステムの堆肥製造器９４の費用レベルでまかなうことが可能であり、高価な３種類の装置（分離機９１、浄化槽９２、脱水機９３）のコストを省くことができる。
【００５４】
なお、図６に示したシステムにおける浄化槽９２では、汚水の汚れ度を示すＢＯＤが８，０００、ＳＳは１６，０００が限界とされているが、汚水処理装置１００では実験によりＢＯＤ２４，０００、ＳＳ８０，０００の汚水も処理可能と分かっている。家畜の糞尿の汚れ度は、牛糞尿混合状態でＢＯＤ１６，０００、ＳＳ７４，０００、また、豚糞尿混合状態でＢＯＤ２４，０００、ＳＳ８０，０００（中央畜産会発表データより）となっており、図６に示したシステムでは、浄化槽９２に投入する汚水の汚れ度を所定置まで低下させる分離機９１が必要なことが分かる。
【００５５】
また、乾燥を伴った堆肥の発酵には６０℃以上を維持することが必要である。しかし、従来のチェーンなどを用いた方式の攪拌手段（他にロータリー式と呼ばれ、水車のような羽根車を回転させて堆肥材料をすくい上げて後方に飛ばす方式もある）は堆肥材料を飛ばしてしまい、攪拌によって温度を低下させるのに対し、この形態の攪拌手段４のスクリュー４２では混合物Ｍを飛ばすことがほとんどない。したがって、攪拌による温度低下が少なく、寒冷地の冬季でも発酵温度を維持でき、１年中汚水処理及び発酵による堆肥製造を行うことができる。
【００５６】
なお、回収手段５の長手方向汚水路５１、及び、幅方向汚水路５２には堆肥Ｃが少しずつ詰まるが、１年に１回程度掃除をすれば汚水Ｈの回収に支障を生じることはなく、汚水処理装置１００のメンテナンスに手間はかからない。
【００５７】
また、回収手段５は上記形態に限定されるものでなく、処理槽２の底面２３に達する汚水Ｈを回収可能な構成であれば構わない。
【００５８】
この実施の形態によれば、固形物Ｈ１を含む汚水Ｈは処理槽２内で水分調整材１に散布され攪拌されて処理されるとともに、水分調整材１に混ざらなかった汚水Ｈは回収され再び水分調整材１に散布されて処理される方法としたので、固形物Ｈ１と水分を分離することなく汚水Ｈは処理槽２内部で全て処理され、簡素な方法で大量の糞尿を処理することが可能となる。
【００５９】
また、固形物Ｈ１を含む汚水Ｈは散布装置３により水分調整材１に散布され攪拌手段４で攪拌されて処理されるとともに、水分調整材１に混ざらなかった汚水Ｈは回収手段５で回収され再び水分調整材１に散布されて処理される装置としたので、固形物Ｈ１を分離する装置を用いることなく汚水Ｈは処理槽２内部で全て処理され、簡素な装置で大量の糞尿を処理することが可能となる。
【００６０】
また、汚水Ｈは水分調整材１と混合されて移送され、堆肥化されるとともに、新しい水分調整材１が投入され汚水Ｈを散布可能にするようにしたので、次々に汚水Ｈが処理され、この処理に伴って、堆肥が製造されていく。
【００６１】
【発明の効果】
以上のように、本発明の請求項１に係る汚水処理方法は、固形物を含む汚水は処理槽で水分調整材に散布され攪拌されて処理されるとともに、水分調整材に混ざらなかった汚水は回収され再び水分調整材に散布されて処理される方法としたので、固形物と水分を分離することなく汚水は処理槽内部で全て処理され、簡素な方法で大量の糞尿を処理することが可能となるという効果がある。
【００６２】
また、本発明の請求項３に係る汚水処理装置は、固形物を含む汚水は散布装置により水分調整材に散布され攪拌手段で攪拌されて処理されるとともに、水分調整材に混ざらなかった汚水は回収手段で回収され再び水分調整材に散布されて処理される装置としたので、固形物と水分を分離する装置を用いることなく汚水は処理槽内部で全て処理され、簡素な装置で大量の糞尿を処理することが可能となるという効果がある。
【図面の簡単な説明】
【図１】本発明に係る汚水処理方法及びその装置の実施の形態（１）を示す斜視図である。
【図２】本発明に係る汚水処理方法及びその装置の実施の形態（１）を示し、（ａ）は平面図、（ｂ）は側面断面図である。
【図３】本発明に係る汚水処理方法及びその装置の実施の形態（１）の主要部品の正面図である。
【図４】図１のＸ−Ｘ線断面図である。
【図５】従来の汚水処理方法及びその装置を示す構成図である。
【符号の説明】
１  水分調整材
２  処理槽
３  散布装置
４  攪拌手段
５  回収手段
６  供給手段
７  汚水槽
８  送風パイプ
２１  側壁
２１ａ  上面部
２２  側壁
２２ａ  上面部
２３  底面
２４  投入口
２５  取出口
２６  散布領域
２７  熟成領域
３１  汚水溜め
３２  流出口
４１  撹拌装置
４２  スクリュー
４２ａ  回転軸
４２ｂ  羽根
４３  支持ピン
４５  移動装置
４６  長手方向移動装置
４７  幅方向移動装置
５１  長手方向汚水路
５１ａ  長手方向汚水路
５２  幅方向汚水路
５３  回収槽
５４  ポンプ
５５  配管
６１  吸引管
６２  吸引ポンプ
６３  供給管
８１  空気吹出孔
９１  分離機
９２  浄化槽
９３  脱水機
９４  堆肥製造機
１００  汚水処理装置
４２１  モータ
４２２  減速機
４６１  車輪
４６２  フレーム
４６３  モータ
４６４  作業台
４６５  制御盤
４７１  アーチフレーム
４７２  車輪
４７３  フレーム
４７４  フレーム移動装置
Ａ  空気
Ｃ  堆肥
Ｍ  混合物
Ｈ  汚水
Ｈ１  固形物
【図１】
0003607252.tif 000002
【図２】
0003607252.tif 000003
【図３】
0003607252.tif 000004
【図４】
0003607252.tif 000005
【図５】
0003607252.tif 000006